(57)【要約】      （修正有）【課題】使用後は分別廃棄や内容物のリフィル等のために、中皿を収容部から取り外したり、装着したりする操作性について改善するコンパクト容器を提供する。【解決手段】コンパクト容器１は、内容物が収容される中皿１０と、中皿が収容される収容部２０ａを有する容器本体２０と、収容部を開放可能に閉塞する蓋体３０と、中皿に係合し、中皿と共に収容部に収容されるホルダー４０と、を備え、容器本体は、容器本体の中心軸線Ｏ回りに周回する周方向において間隔をあけてホルダーに係合する複数の係合部５０Ａ，５０Ｂを有する。【選択図】図２
2020162902.tif 000002
【特許請求の範囲】
【請求項１】
内容物が収容される中皿と、
前記中皿が収容される収容部を有する容器本体と、
前記収容部を開放可能に閉塞する蓋体と、
前記中皿に係合し、前記中皿と共に前記収容部に収容されるホルダーと、を備え、
前記容器本体は、前記容器本体の中心軸線回りに周回する周方向において間隔をあけて前記ホルダーに係合する複数の係合部を有する、ことを特徴とするコンパクト容器。
【請求項２】
前記複数の係合部は、
前記ホルダーに対し、前記容器本体の中心軸線に沿う軸方向において第１の数で係合する第１の係合部と、
前記ホルダーに対し、前記軸方向において前記第１の数よりも多い第２の数で係合する第２の係合部と、を含み、
前記第２の係合部は、前記周方向において、前記第１の係合部よりも多く設けられている、ことを特徴とする請求項１に記載のコンパクト容器。
【請求項３】
前記第１の係合部は、１つ設けられ、
前記第２の係合部は、複数設けられている、ことを特徴とする請求項２に記載のコンパクト容器。
【請求項４】
前記容器本体の底壁において、前記容器本体の中心軸線に沿う軸方向から見て、前記中心軸線に交差する径方向のうちの中央部から一方側に離れた部分に、前記中皿を押上げ可能な押上部が設けられ、
前記押上部は、前記周方向において、前記第１の係合部と同じ位置に配置されている、ことを特徴とする請求項３に記載のコンパクト容器。
【請求項５】
前記複数の係合部は、前記周方向に均等な間隔で配置されている、ことを特徴とする請求項１〜４のいずれか一項に記載のコンパクト容器。
【発明の詳細な説明】
【技術分野】
【０００１】
本発明は、コンパクト容器に関する。
【背景技術】
【０００２】
従来から、例えば下記特許文献１に示されるような、内容物が収容される中皿と、中皿が収容される収容部を備えた容器本体と、収容部を開放可能に閉塞する蓋体と、を備えたコンパクト容器が知られている。
【先行技術文献】
【特許文献】
【０００３】
【特許文献１】実開平６−１３７０８号公報
【発明の概要】
【発明が解決しようとする課題】
【０００４】
しかしながら、このようなコンパクト容器では、使用後は分別廃棄や内容物のリフィル等のために、中皿を収容部から取り外したり、装着したりする操作性について、改善の余地があった。
【０００５】
本発明は、このような事情に鑑みてなされたものであって、コンパクト容器の中皿を収容部から着脱する操作性を改善することを目的とする。
【課題を解決するための手段】
【０００６】
（１）本発明に係るコンパクト容器は、内容物が収容される中皿と、前記中皿が収容される収容部を有する容器本体と、前記収容部を開放可能に閉塞する蓋体と、前記中皿に係合し、前記中皿と共に前記収容部に収容されるホルダーと、を備え、前記容器本体は、前記容器本体の中心軸線回りに周回する周方向において間隔をあけて前記ホルダーに係合する複数の係合部を有する。
【０００７】
本発明に係るコンパクト容器によれば、中皿と共に収容部に収容されるホルダーを備えているので、中皿をホルダーごと収容部から着脱することが可能となる。また、容器本体は、容器本体の中心軸線回りに周回する周方向において間隔をあけてホルダーに係合する複数の係合部を有するため、ホルダーを介して中皿を収容部にしっかりと固定することができる。
【０００８】
（２）前記複数の係合部は、前記中皿に対し、前記容器本体の中心軸線に沿う軸方向において第１の数で係合する第１の係合部と、前記中皿に対し、前記軸方向において前記第１の数よりも多い第２の数で係合する第２の係合部と、を含み、前記第２の係合部は、前記周方向において、前記第１の係合部よりも多く設けられていても良い。
【０００９】
この場合には、軸方向における係合数が少ない第１の係合部が配置された周方向位置において、容器本体からホルダーを取り外し易くなる。また、容器本体からホルダーを取り外す際には、軸方向における係合数が多い第２の係合部が、不意に容器本体からホルダーが脱落することを防止する。さらに、第２の係合部が第１の係合部よりも多いので、容器本体からホルダーを取り外す際に、不意に容器本体からホルダーが脱落することをより確実に防止できる。
【００１０】
（３）前記第１の係合部は、１つ設けられ、前記第２の係合部は、複数設けられていても良い。
【００１１】
この場合には、１つの第１の係合部に対して集中的に力を加えればよくなり、当該第１の係合部が配置された周方向位置において、容器本体からホルダーをより取り外し易くなる。
【００１２】
（４）前記容器本体の底壁において、前記容器本体の中心軸線に沿う軸方向から見て、前記中心軸線に交差する径方向のうちの中央部から一方側に離れた部分に、前記中皿を押上げ可能な押上部が設けられ、前記押上部は、前記周方向において、前記第１の係合部と同じ位置に配置されていても良い。
【００１３】
この場合には、ホルダーを押上げ可能な押上部が、容器本体の底壁において、径方向のうちの中央部から一方側に離れた部分に設けられ、第１の係合部を押上げるため、容器本体からホルダーを取り外し易くなる。また、この押上げによって、ホルダーが、容器本体の中心軸線に対して傾くこととなり、第２の係合部にホルダーを引っ掛けながら、ホルダーを収容部から離脱させることができる。このため、不意に容器本体からホルダーが脱落することをより確実に防止できる。
【００１４】
（５）前記複数の係合部は、前記周方向に均等な間隔で配置されていても良い。
【００１５】
この場合には、複数の係合部が、容器本体の中心軸線回りに周回する周方向において均等な間隔をあけてホルダーにバランスよく係合することができ、容器本体からホルダーが脱落することをより確実に防止できる。
【発明の効果】
【００１６】
本発明に係るコンパクト容器によれば、中皿を収容部から着脱する操作性を改善することができる。
【図面の簡単な説明】
【００１７】
【図１】本発明の一実施形態に係るコンパクト容器の縦断面図である。
【図２】本発明の一実施形態に係るコンパクト容器の組立図である。
【図３】本発明の一実施形態に係る容器本体の平面図である。
【図４】図１に示すコンパクト容器の要部拡大図である。
【図５】本発明の一実施形態に係るコンパクト容器から中皿及びホルダーを取り外す様子を示す説明図である。
【発明を実施するための形態】
【００１８】
以下、図面を参照し、本発明の一実施形態に係るコンパクト容器について説明する。
本実施形態のコンパクト容器１は、図１及び図２に示されるように、内容物が収容される中皿１０と、中皿１０が収容される収容部２０ａを備えた容器本体２０と、収容部２０ａを開放可能に閉塞する蓋体３０と、中皿１０と共に収容部２０ａに収容されるホルダー４０と、を備えている。
【００１９】
中皿１０、および容器本体２０は、有底筒状に形成され、蓋体３０は、有頂筒状に形成され、ホルダー４０は、筒状に形成され、中皿１０、容器本体２０、蓋体３０、およびホルダー４０は、共通軸と同軸に配設されている。以下、この共通軸を中心軸線Ｏといい、中心軸線Ｏに沿う軸方向から見て、中心軸線Ｏに交差する方向を径方向といい、中心軸線Ｏ回りに周回する方向を周方向という。軸方向のうち、収容部２０ａに対して蓋体３０側を上側といい、容器本体２０の底壁２２側を下側という。
【００２０】
なお、図１に示すコンパクト容器１の縦断面は、中心軸線Ｏと、後述する係止突起２３ｂ（図３参照）と、後述する蓋ヒンジ部３１と、を含む部分となっている。つまり、この縦断面を示す断面線は、軸方向から見て、中心軸線Ｏと後述する係止突起２３ｂとを通る直線、並びに、中心軸線Ｏと後述する蓋ヒンジ部３１とを通る直線となっている。
【００２１】
中皿１０は、金属材料により扁平な有底筒状に形成されている。中皿１０が、金属材料により形成されることで、収容される内容物の種類や内容物が含有する成分等によらず、多くの種類の内容物を収容することができる。中皿１０は、容器本体２０に対して非接着状態で収容部２０ａに収容されている。なお、中皿１０は、金属材料に限らず例えば、合成樹脂材料等の他の材質で形成されてもよい。
【００２２】
容器本体２０は、例えば合成樹脂材料等により扁平な有底筒状に形成されている。容器本体２０は、収容部２０ａを形成する周壁２１及び底壁２２を備えている。本実施形態の周壁２１は、中心軸線Ｏを中心とする略円筒状に形成され、径方向において中皿１０に装着されたホルダー４０と対向している。底壁２２は、周壁２１の下端部に連設され、底壁２２の下端開口を閉塞すると共に、軸方向において中皿１０と対向している。
【００２３】
蓋体３０は、例えば合成樹脂材料等により扁平な有頂筒状に形成されている。蓋体３０は、蓋ヒンジ部３１を介して容器本体２０に連結されている。蓋体３０、および蓋ヒンジ部３１は、容器本体２０と一体に形成されている。以下、径方向のうち、蓋ヒンジ部３１が配置された一方側を後側といい、一方側の反対側（他方側）を前側といい、前後方向に直交する方向を左右方向（直交方向）という。
【００２４】
蓋ヒンジ部３１は、蓋体３０および容器本体２０の後端部同士を連結している。図示の例では、蓋体３０の頂壁の下面と、中皿１０の上端開口と、の間に、例えばパフ等の塗布具Ｗが収容可能とされている。蓋体３０の周壁の前端部には、前方に向けて突出した蓋操作突片３２が形成されている。一方、容器本体２０の周壁２１の前端部には、前方に向けて突出した容器操作突片２３ａ（図３参照）が形成されている。
【００２５】
蓋操作突片３２、および容器操作突片２３ａそれぞれにおいて、周方向の端部のみが軸方向で重なり合っている。容器本体２０の周壁２１の前端部において、容器操作突片２３ａに周方向で隣接する部分に、係止突起２３ｂが形成されている。蓋操作突片３２には、係止突起２３ｂに着脱可能にアンダーカット嵌合した被係止突起３３（図１参照）が形成されている。
【００２６】
また、容器本体２０の底壁２２において、径方向のうちの中央部から一方側（後側）に離れた部分に、中皿１０を押上げ可能な押上部２４が設けられている。押上部２４は、底壁２２に形成された貫通孔２６内に配設されるとともに、この貫通孔２６の内周面の一部に押上ヒンジ部２５を介して連結されている。押上部２４は、平板状に形成されている。押上部２４は、図３に示すように、軸方向から見て半円形状を呈し、この半円形状を画成する直線部分が、押上ヒンジ部２５（図１参照）を介して貫通孔２６の内周面に連結されている。前記直線部分は、押上部２４の前端部に位置して左右方向に延びている。
【００２７】
また、軸方向から見て、貫通孔２６は、押上部２４に対してわずかに大きい相似形状を呈する。押上部２４は、底壁２２における左右方向の中央部に配設され、軸方向から見て、中心軸線Ｏを通り、前後方向に延びる直線に対して対称形状を呈する。押上部２４、および押上ヒンジ部２５は、容器本体２０と一体に形成されている。なお、押上部２４は、底壁２２を軸方向に貫く貫通孔のみから構成されてもよい。
【００２８】
ホルダー４０は、例えば合成樹脂材料等により円筒状に形成されている。ホルダー４０は、図２に示すように、中皿１０の外周面の少なくとも一部を覆うように、中皿１０に外装されている。ホルダー４０の内周面には、中皿１０の上端開口縁１１に係合し、中皿１０の軸方向上側への離脱を規制する規制部４１が設けられている。規制部４１は、ホルダー４０の内周面の上端部から径方向の内側に向けて突出し、且つ、ホルダー４０の内壁面に沿って周方向の全長に亘って延びている。
【００２９】
ホルダー４０の外周面には、複数の被係合部４２ａ，４２ｂが設けられている。被係合部４２ａ，４２ｂは、ホルダー４０の外周面から径方向の外側に向けて突出し、且つ、ホルダー４０の外周面に沿って周方向の全長に亘って延びている。この被係合部４２ａ，４２ｂは、ホルダー４０の外周面において軸方向に間隔をあけて複数（本実施形態では２つ）設けられている。被係合部４２ａは、被係合部４２ｂよりも上側に配置されている。被係合部４２ａは、図４に示すように、ホルダー４０が収容部２０ａに収容されたとき、容器本体２０側に設けられた係合部５０Ａに対し、アンダーカット嵌合する。なお、後述する係合部５０Ｂにおいては、被係合部４２ａ，４２ｂの両方がアンダーカット嵌合する。
【００３０】
また、ホルダー４０の内周面には、図４に示すように、径方向の内側に向かって突出するリブ４３が設けられている。リブ４３は、規制部４１の下部において、軸方向に延在すると共に、その上端部は、規制部４１の下面のうち規制部４１の内端縁よりも径方向外側に接続されている。このリブ４３は、ホルダー４０の内周面において周方向に間隔をあけて複数設けられている。これらリブ４３が、中皿１０の外周面を複数箇所で押圧することで、中皿１０にホルダー４０が装着される。
【００３１】
図３に示すように、容器本体２０は、容器本体２０の中心軸線Ｏ回りに周回する周方向において間隔をあけてホルダー４０の被係合部４２ａ，４２ｂに係合する複数の係合部５０Ａ，５０Ｂを有している。本実施形態の係合部５０Ａ，５０Ｂは、中心軸線Ｏ回りに１２０°間隔で合計３つ設けられている。当該３つの係合部５０Ａ，５０Ｂのうちの１つの係合部（以下、第１の係合部５０Ａと称する）は、軸方向から見て、径方向の一方側（後側）に配置されている。一方、残り２つの係合部（以下、第２の係合部５０Ｂと称する）は、軸方向から見て、径方向の他方側（前側）に配置されている。第１の係合部５０Ａは、周方向において押上部２４と同じ位置に配置されている。
【００３２】
第１の係合部５０Ａは、容器本体２０の周壁２１の内周面から径方向の内側に向かって突出する第１突片５１ａを有している。第１突片５１ａは、周壁２１の内周面に沿って周方向に円弧状に延びている。第１突片５１ａには、図４に示すように、ホルダー４０の外周面の上側に配置された被係合部４２ａがアンダーカット嵌合する。つまり、第１の係合部５０Ａは、ホルダー４０に対して軸方向において１段（第１の数）で係合している。
【００３３】
第２の係合部５０Ｂは、図２に示すように、上述した第１突片５１ａを有すると共に、第１突片５１ａよりも下側に第２突片５１ｂを有する。第２突片５１ｂは、第１突片５１ａと同様に、容器本体２０の周壁２１の内周面から径方向の内側に向かって突出すると共に、周壁２１の内周面に沿って周方向に円弧状に延びている。第１突片５１ａと第２突片５１ｂは、軸方向において、被係合部４２ａ，４２ｂと同じピッチで配置されている。なお、第１突片５１ａは、上側の被係合部４２ａよりも下方に形成され、第２突片５１ｂは、下側の被係合部４２ｂよりも下方に形成されている。
【００３４】
つまり、第２突片５１ｂには、ホルダー４０の外周面の下側に配置された被係合部４２ｂがアンダーカット嵌合する。したがって、第２の係合部５０Ｂは、ホルダー４０に対して軸方向において２段（第２の数）で係合している。なお、第１突片５１ａと第２突片５１ｂとの軸方向における隙間は、ホルダー４０の被係合部４２ａ，４２ｂの軸方向における幅寸法より大きくなっている。
【００３５】
以上の構成において、図５に示すように、押上部２４を押上げると、収容部２０ａから中皿１０及びホルダー４０を押上げることができる。押上部２４は、容器本体２０の底壁２２において、容器本体２０の中心軸線Ｏに沿う軸方向から見て、中心軸線Ｏに交差する径方向のうちの中央部から一方側（後側）に離れた部分に設けられているため、中皿１０及びホルダー４０を、容器本体２０の中心軸線Ｏに対して傾けながら押上げることができる。
【００３６】
これにより、中皿１０及びホルダー４０の後端部が突上げられ、収容部２０ａの後側においてホルダー４０と係合していた第１の係合部５０Ａにおける係合が解除される。第１の係合部５０Ａにおいては、ホルダー４０に対して１段で係合していたため、その係合解除に要する押上力は小さくて済む。一方、収容部２０ａの前側においてホルダー４０と係合していた第２の係合部５０Ｂにおいては、ホルダー４０に対して２段で係合しているため、ホルダー４０とは未だ係合状態にある。
【００３７】
具体的に、第２の係合部５０Ｂにおいては、ホルダー４０が斜めになることで、第２突片５１ｂにおける係合が解除されるものの、斜めになった下側の被係合部４２ｂが、今度は上側に配置された第１突片５１ａに係合する。または、下側の被係合部４２ｂが、第１突片５１ａ及び第２突片５１ｂの隙間に入り込む。これにより、上側の被係合部４２ａが第１突片５１ａから完全に外れてしまった場合でも、下側の被係合部４２ｂが第１突片５１ａに係合可能な状態となっているので、不意に容器本体２０から中皿１０及びホルダー４０が脱落することを防止できる。
【００３８】
その後、中皿１０及びホルダー４０をゆっくりと持ち上げ、第２の係合部５０Ｂにおける係合を解除し、中皿１０及びホルダー４０を収容部２０ａから取り外す。なお、中皿１０は、規制部４１によってホルダー４０の上方への脱離が規制されているが、ホルダー４０の下方へは脱離が可能となっているため、ホルダー４０の下端開口から中皿１０を容易に取り外すことができる。つまり、コンパクト容器１から、金属材料などで形成された中皿１０を分別することができる。
【００３９】
一方、中皿１０を収容部２０ａに固定する場合は、中皿１０にホルダー４０を装着し、中皿１０をホルダー４０と共に収容部２０ａに挿入する。次に、中皿１０に装着されたホルダー４０を押下げる。これにより、第１の係合部５０Ａにおいては、ホルダー４０の上側の被係合部４２ａが第１突片５１ａに１段でアンダーカット嵌合し、第２の係合部５０Ｂにおいては、ホルダー４０の上下の被係合部４２ａ，４２ｂが第１突片５１ａ及び第２突片５１ｂに２段でアンダーカット嵌合する。これにより、中皿１０を収容部２０ａにしっかりと固定することができる。
【００４０】
以上説明したように、本実施形態によるコンパクト容器１によれば、中皿１０と共に収容部２０ａに収容されるホルダー４０を備えているので、中皿１０をホルダー４０ごと収容部２０ａから着脱することが可能となる。また、容器本体２０は、容器本体２０の中心軸線Ｏ回りに周回する周方向において間隔をあけてホルダー４０に係合する複数の係合部５０Ａ，５０Ｂを有するため、ホルダー４０を介して中皿１０を収容部２０ａにしっかりと固定することができる。
【００４１】
また、本実施形態では、ホルダー４０に対し、容器本体２０の中心軸線Ｏに沿う軸方向において第１の数（本実施形態では１段）で係合する第１の係合部５０Ａと、ホルダー４０に対し、軸方向において第１の数よりも多い第２の数（本実施形態では２段）で係合する第２の係合部５０Ｂと、を有するため、軸方向における係合数が少ない第１の係合部５０Ａが配置された周方向位置（本実施形態では収容部２０ａの後側）において、容器本体２０からホルダー４０を取り外し易くなる。また、容器本体２０からホルダー４０を取り外す際には、軸方向における係合数が多い第２の係合部５０Ｂが、不意に容器本体２０からホルダー４０が脱落することを防止する。
【００４２】
また、本実施形態では、第２の係合部５０Ｂは、周方向において、第１の係合部５０Ａよりも多く設けられている。この構成によれば、第２の係合部５０Ｂが第１の係合部５０Ａよりも多くなるので、容器本体２０からホルダー４０を取り外す際に、不意に容器本体２０からホルダー４０が脱落することをより確実に防止できる。
【００４３】
さらに、本実施形態では、第１の係合部５０Ａは、１つ設けられ、第２の係合部５０Ｂは、複数設けられている。この構成によれば、１つの第１の係合部５０Ａに対して集中的に力を加えればよくなり、第１の係合部５０Ａが配置された周方向位置において、容器本体２０からホルダー４０をより取り外し易くなる。
【００４４】
また、本実施形態では、容器本体２０の底壁２２において、容器本体２０の中心軸線Ｏに沿う軸方向から見て、中心軸線Ｏに交差する径方向のうちの中央部から一方側に離れた部分に、中皿１０を押上げ可能な押上部２４が設けられ、押上部２４は、周方向において、第１の係合部５０Ａと同じ位置に配置されている。このように、押上部２４が、容器本体２０の底壁２２において、径方向のうちの中央部から一方側に離れた部分に設けられ、係合数が少ない第１の係合部５０Ａを押上げるため、容器本体２０からホルダー４０を取り外し易くなる。また、この押上げによって、ホルダー４０が、容器本体２０の中心軸線Ｏに対して傾くこととなり、係合数が多い第２の係合部５０Ｂにホルダー４０を引っ掛けながら、ホルダー４０を収容部２０ａから離脱させることができる。このため、不意に容器本体２０からホルダー４０が脱落することをより確実に防止できる。
【００４５】
また、本実施形態では、複数の係合部５０Ａ，５０Ｂは、周方向に均等な間隔で配置されていているため、周方向において均等な間隔をあけてホルダー４０にバランスよく係合することができ、容器本体２０からホルダー４０が脱落することをより確実に防止できる。
【００４６】
このように、本実施形態に係るコンパクト容器１によれば、中皿１０を収容部２０ａから着脱する操作性を改善することができる。
【００４７】
本発明は上記した実施の形態に限定されるものではなく、その趣旨を逸脱しない範囲で適宜変更可能である。
【００４８】
例えば、上記実施形態では、ホルダー４０に係合する係合部５０Ａ，５０Ｂが周方向に間隔をあけて３つ配置される構成について説明したが、当該係合部５０Ａ，５０Ｂは複数あればよく、例えば、周方向に間隔をあけて２つまたは４つ以上配置される構成であっても構わない。
【００４９】
また、第１の係合部５０Ａと第２の係合部５０Ｂとが同数（例えば、第１の係合部５０Ａ及び第２の係合部５０Ｂがそれぞれ１つずつ、容器本体２０の後側と前側に配置される構成）であっても、容器本体２０の後側の第１の係合部５０Ａにおいてホルダー４０を取り外し易く、また、容器本体２０の前側の第２の係合部５０Ｂにおいて不意に容器本体２０からホルダー４０が脱落することを防止できる。つまり、第２の係合部５０Ｂは、必ずしも周方向において、第１の係合部５０Ａよりも多く設けられなくてもよい。
【００５０】
また、例えば、第１の係合部５０Ａは、軸方向において１段でホルダー４０に係合する構成について説明したが、第２の係合部５０Ｂが、第１の係合部５０Ａの段数よりも１段以上多くホルダー４０に係合する構成であれば、第１の係合部５０Ａは、軸方向において２段以上でホルダー４０に係合する構成であっても構わない。
【００５１】
また、例えば、周方向において、第１の係合部５０Ａは、１つ設けられ、第２の係合部５０Ｂは、２つ設けられる構成について説明したが、第２の係合部５０Ｂが、第１の係合部５０Ａよりも１つ以上多く設けられる構成であれば、第１の係合部５０Ａは、周方向において、２つ以上設けられる構成であっても構わない。
【００５２】
例えば、上記実施形態では、蓋体３０が、容器本体２０に蓋ヒンジ部３１を介して連結された構成を示したが、蓋体３０が、容器本体２０に着脱可能に螺着された構成等を採用してもよい。
また、押上部２４は、例えば容器本体２０の底壁２２の中央部に配設する等適宜変更してもよい。
【００５３】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５４】
１  コンパクト容器
１０  中皿
２０  容器本体
２０ａ  収容部
２２  底壁
２４  押上部
３０  蓋体
４０  ホルダー
４１  規制部
４２ａ  被係合部
４２ｂ  被係合部
４３  リブ
５０Ａ  第１の係合部（係合部）
５０Ｂ  第２の係合部（係合部）
Ｏ  中心軸線
【図１】
2020162902.tif 000003
【図２】
2020162902.tif 000004
【図３】
2020162902.tif 000005
【図４】
2020162902.tif 000006
【図５】
2020162902.tif 000007